(57)【要約】【課題】室内の一部だけを仕切ることができるとともに、簡単に取り外す。【解決手段】上框４と下框５と左右の縦框６とによって形成された方形の框の内側に目隠し手段７を配した間仕切り材１と、室内の天井の一部に設けられて下向きに開口する嵌合溝を有する上部支持材２と、床に上部支持材２に対応して突設された下部支持材３とを有し、間仕切り材１の上框４を上部支持材２の嵌合溝に嵌合し、間仕切り材１の下框５には下向きに開口する嵌合溝を形成し、この嵌合溝に上記下部支持材３を嵌合させるとともに、下部保持部材の側面と嵌合溝の溝壁との間には弾性を有するタイト材２４を介装させた。【選択図】図２
2006291482.tif 000002
【特許請求の範囲】
【請求項１】
上框と下框と左右の縦框とによって形成された方形の框の内側に目隠し手段を配した間仕切り材と、室内の天井の一部に設けられて下向きに開口する嵌合溝を有する上部支持材と、床に上部支持材に対応して突設された下部支持材とを有し、
上記間仕切り材の上框を上記上部支持材の嵌合溝に嵌合し、上記間仕切り材の下框には下向きに開口する嵌合溝を形成し、この嵌合溝に上記下部支持材を嵌合させるとともに、下部保持部材の側面と嵌合溝の溝壁との間には弾性を有するタイト材を介装させた
ことを特徴とする室内の簡易間仕切り。
【請求項２】
上框と下框と左右の縦框とによって形成された方形の框の内側に目隠し手段を配した間仕切り材と、天井に設けられて下向きに開口する嵌合溝を有する上部支持材と、床に上部支持材に対応して突設された下部支持材とを備え、
上記間仕切り材の下框には下向きに開口する嵌合溝を形成し、下部保持部材の両側面には弾性を有するタイト材を取り付けておき、
上記間仕切り材の上框を上記上部支持材の嵌合溝に深く嵌合した後、上記間仕切り材を降ろしてその下框の嵌合溝内に上記下部支持材を上記弾性を有するタイト材とともに嵌合させる
ことを特徴とする簡易間仕切りの取り付け方法。
【発明の詳細な説明】
【技術分野】
【０００１】
本発明は、住宅の室内の天井と床との間に連続的に設けられる間仕切りに関するものである。
【背景技術】
【０００２】
一般に、間仕切りは事務所や会社のオフィスなどでは一般的であるが、家庭における室内空間の間仕切り手段としては、ふすまや壁などが知られている。
【０００３】
壁は固定されているから、完全に間仕切りすることはできるが、取り外すことはできない。ふすまは天井と床に設けられた鴨居と敷居に摺動自在に支持されているもので、２枚以上を使用することにより、完全に室内を間仕切りしたり、簡単に取り外して大きなスペースを作ることができるというメリットがある。
【０００４】
なお、壁やふすまは古くから存在するものなので、先行技術として特別のものはない。
【発明の開示】
【発明が解決しようとする課題】
【０００５】
ところが、ふすまは簡単に取り外すことはできるが、鴨居や敷居を建て付ける作業は、大きな木材に複雑な加工を施す必要があるほか、重量が重いため、人手を要するため面倒であり、コストもかかるものであった。
【０００６】
しかも、ふすまは洋間を仕切るには不向きであり、リビングとキッチンとを一部だけ間仕切りするというようなことはできなかった。
【０００７】
このような要求に対応するものとして、室内の一部だけを間仕切り用の壁とすることが考えられ、実際にもキッチンのシンク部分とテーブル部分とを仕切り、その一部に開口部を設けて、料理などの受け渡しができるようにしたものが実施されている。
【０００８】
しかしながら、このような壁は固定されたものであるから、取り外すことができないという問題があった。
【０００９】
本発明は上記問題点を解消し、室内の一部だけを仕切ることができるとともに、必要なときは簡単に取り外すことも可能な、室内の簡易間仕切り及びその取り付け方法を提供することをその課題とする。
【課題を解決するための手段】
【００１０】
前記課題を解決するため、請求項１に係る発明は、上框と下框と左右の縦框とによって形成された方形の框の内側に目隠し手段を配した間仕切り材と、室内の天井の一部に設けられて下向きに開口する嵌合溝を有する上部支持材と、床に上部支持材に対応して突設された下部支持材とを有し、上記間仕切り材の上框を上記上部支持材の嵌合溝に嵌合し、上記間仕切り材の下框には下向きに開口する嵌合溝を形成し、この嵌合溝に上記下部支持材を嵌合させるとともに、下部保持部材の側面と嵌合溝の溝壁との間には弾性を有するタイト材を介装させたことを特徴とする。
【００１１】
請求項２に係る発明は、上框と下框と左右の縦框とによって形成された方形の框の内側に目隠し手段を配した間仕切り材と、天井に設けられて下向きに開口する嵌合溝を有する上部支持材と、床に上部支持材に対応して突設された下部支持材とを備え、上記間仕切り材の下框には下向きに開口する嵌合溝を形成し、下部保持部材の両側面には弾性を有するタイト材を取り付けておき、上記間仕切り材の上框を上記上部支持材の嵌合溝に深く嵌合した後、上記間仕切り材を降ろしてその下框の嵌合溝内に上記下部支持材を上記弾性を有するタイト材とともに嵌合させることを特徴とする。
【発明の効果】
【００１２】
請求項１に係る発明によれば、部屋の一部だけ仕切りたいというときに、必要な部分の天井と床との間に配置することができる。また、不要になったとき、あるいは間仕切り位置を変更したいときなどは、ビスを外せば簡単に取り外すことができるので、非常に便利である。
【００１３】
また、下框と下部支持材との間の隙間には弾性を有するタイト材が介装されているので、建てつけ後の上下または左右のガタつきを良好に防止することができる。
【００１４】
さらに、間仕切り材は上下支持部材に嵌合しているので、その面に対して直交する方向に押しても外れることがない。
【００１５】
請求項２に係る発明によれば、取り付け、取り外しを小さなスペースで簡単に行なうことができる。
【発明を実施するための最良の形態】
【００１６】
図１は間仕切りの取付状態の正面図、図２は図１のＸ−Ｘ線上の断面図、図３は図１のＹ−Ｙ線上の断面図である。
【００１７】
図１において間仕切りは、間仕切り材１とこの間仕切り材１を支持する上部支持材２と下部支持材３とから構成されている。これらの構成部材はいずれも主にアルミニウムの押出形材によって形成されている。
【００１８】
間仕切り材１は、上框４と下框５と左右の縦框６とによって形成された方形の框の内側に目隠し手段７を配したもので、上框４は方形の中空部ａを備え、この中空部ａの下部に嵌合溝８を形成したものである。下框５も方形の中空部ａを備え、この中空部ａの上下部にそれぞれ上向きおよび下向きに開口した嵌合溝９、１０（図５参照）を形成したものである。また、縦框６は、方形の中空部ａの内側に嵌合溝１１、外側に化粧用のスライド部材１２を摺動可能に取り付けたものである。
【００１９】
目隠し手段７は、碁盤の目状に組んだ縦格子１４と横格子１５とを方形の支持枠１６の内側に組んだもので、縦格子１４と横格子１５にはビスホール１７が形成され、互いに相欠け継ぎした後に支持枠１６の外側面から挿通したビス１８を上記ビスホール１７に螺着したものである。
【００２０】
なお、目隠し手段７としては、格子状のものに限定されない。例えば、透光性を有するガラス板または合成樹脂板などのほか、格子パネルや布地でも、あるいはブラインドであってもよい。
【００２１】
間仕切り材１は、上記上框４の下部嵌合溝８と、下框５の上部嵌合溝９と縦框６の内側嵌合溝１１に目隠し手段７の支持枠１６を嵌合させることにより構成されている。
【００２２】
次に、上部支持材２は、図４に示されるように、下向きに開口する嵌合溝２０を有する断面コ字形の部材で、間仕切り材１の上下框４、５と略同じ長さに設定され、溝底部を室内の天井２５の一部にビス２１で止めることにより固定されている。
【００２３】
下部支持材３は、細長板状部３ａの両側に近い部位から垂直の起立片２２を形成し、起立片２２の外側に形成した嵌合溝２３にタイト材２４を嵌合したもので、上部支持材２と同様に、間仕切り材１の上下框４、５と略同じ長さに設定され、床２６に上部支持材２に対応した位置に、上部支持材２と平行となるようにビス２１で固定することにより床面に突設されている。
【００２４】
なお、タイト材２４としては、サッシの水密材として使われるウェザーストリップを利用すればよい。
【００２５】
次に、間仕切りは、図５に示されるように、上記間仕切り材１の上框４を上記上部支持材２の嵌合溝２０に嵌合し、上記間仕切り材１の下框５には下向きの嵌合溝１０に下部支持材３を嵌合させるとともに、下部支持材３の外側面と間仕切り材１の下框５との間にはタイト材２４を介装させた構造である。
【００２６】
上記構成によれば、例えばキッチンとリビングルームのテーブル部分とを一部だけ仕切りたいというときに、必要な部分の天井と床との間に配置することができる。また、不要になったとき、あるいは間仕切り位置を変更したいときなどは、ビス２１を外せば簡単に取り外すことができるので、非常に便利である。
【００２７】
また、下框５と下部支持材３はいずれも金属材なので、間仕切りに触ったときなどにガタつきが生じることがある。しかし、下框５と下部支持材３との間の隙間には弾性を有するタイト材２４が介装されているので、建てつけ後の上下または左右のガタつきを良好に防止することができる。
【００２８】
さらに、間仕切り材１は上下部支持材２、３に嵌合しているので、その面に対して直交する方向に押しても外れることがない。
【００２９】
なお、上下部支持材２、３の厚みよりも間仕切り材１の上下框４、５の嵌合溝８、１０の溝幅の方を広くしてもよい。この場合は、間仕切り材１の下框５にタイト材２４を取り付ける構成に代え、下部支持材に上向きに開口した嵌合溝の溝壁の内側にタイト材を取り付けておき、このタイト材の内側に間仕切り材の下框を嵌合させるようにする。
【００３０】
ところで、上部支持材２と下部支持材３に間仕切り材１を嵌合するためには、間仕切り材１を上部支持材２の嵌合溝２０と下部支持材３の側方からスライドさせて嵌合させてもよいが、予め天井２５に上部支持材２を、床２６に下部支持材３を取り付けておき、図６に示されるように、上記間仕切り材１の上框４を上記上部支持材２の嵌合溝２０に深く嵌合した後、上記間仕切り材１を降ろしてその下框５の嵌合溝１０内に上記下部支持材３を上記タイト材２４とともに嵌合させる、いわゆるけんどん式に建て込むようにするのが好ましい。
【００３１】
このような取付方法によれば、取り付け、取り外しが小さなスペースで簡単に行なうことができる。
【図面の簡単な説明】
【００３２】
【図１】間仕切りの取付状態の正面図である。
【図２】図１のＸ−Ｘ線上の断面図である。
【図３】図１のＹ−Ｙ線上の断面図である。
【図４】上部支持材と下部支持材の拡大断面図である。
【図５】間仕切り手段の取付状態を示す要部の拡大断面図である。
【図６】間仕切り手段の取付態様説明図である。
【符号の説明】
【００３３】
１  間仕切り材
２  上部支持材
３  下部支持材
７  目隠し手段
２４  タイト材
【図１】
2006291482.tif 000003
【図２】
2006291482.tif 000004
【図３】
2006291482.tif 000005
【図４】
2006291482.tif 000006
【図５】
2006291482.tif 000007
【図６】
2006291482.tif 000008